【手続補正書】
【提出日】平成28年8月15日(2016.8.15)
【手続補正１】
【補正対象書類名】特許請求の範囲
【補正対象項目名】全文
【補正方法】変更
【補正の内容】
【特許請求の範囲】
【請求項１】
皮膚表面に据え付けられるように適合された注入セットであって、
前記皮膚表面に連結可能な固定式ベース部材と、
針またはカニューレが連結され、前記固定式ベース部材に対して移動可能である可動式摺動部材であって、前記針またはカニューレが前記固定式ベース部材の外部に露出されない第１の位置から、前記針またはカニューレが前記固定式ベース部材の外部に露出される第２の位置に移動可能であり、前記第２の位置において前記固定式ベース部材にロックされる、可動式摺動部材と
を備えることを特徴とする注入セット。
【請求項２】
前記可動式摺動部材は、前記皮膚表面に対して平行ではない方向に移動する
ことを特徴とする請求項１に記載の注入セット。
【請求項３】
前記針またはカニューレは、前記摺動部材の前記移動の方向に位置合わせされる
ことを特徴とする請求項１に記載の注入セット。
【請求項４】
前記針は、前記摺動部材の前記移動の方向からずれる
ことを特徴とする請求項１に記載の注入セット。
【請求項５】
前記摺動部材上のタブは、前記摺動部材が前記第２の位置にあるときに前記ベース部材内の開口部によって受け入られ、それによって前記摺動部材を前記ベース部材にロックする
ことを特徴とする請求項３に記載の注入セット。
【請求項６】
前記針またはカニューレは、前記皮膚表面に対して約２０度の角度で配設される
ことを特徴とする請求項１に記載の注入セット。
【請求項７】
前記針またはカニューレは、前記皮膚表面に対して、１０度および４５度を含む約１０度から４５度の間の角度で配設されることを特徴とする請求項１に記載の注入セット。
【請求項８】
注入セットの針またはカニューレを挿入するための挿入器であって、
固定式挿入器部材と、
前記固定式挿入器部材に可動式に連結され、前記注入セットを受け入れるように適合された可動式挿入器部材であって、第１の位置から第２の位置に移動可能であり、それによって前記針またはカニューレを露出させ、前記第１の位置において前記固定式挿入器部材にロックされて前記針またはカニューレが偶発的に露出することを防止する、可動式挿入器部材と
を備えることを特徴とする挿入器。
【請求項９】
前記固定式挿入器部材の可撓性ビームは、前記可動式挿入器部材と係合して前記可動式挿入器部材が前記第１の位置から前記第２の位置に移動することを防止する
ことを特徴とする請求項８に記載の挿入器。
【請求項１０】
前記可動式挿入器部材の可撓性部材は、移動されて前記固定式挿入器部材の前記可撓性ビームを偏向させ、それによって前記可撓性ビームを前記固定式挿入器部材から係合解除して前記可動式挿入器部材が前記第１の位置から前記第２の位置に移動することを可能にする
ことを特徴とする請求項９に記載の挿入器。
【請求項１１】
前記可動式挿入器部材の掛止用アームは、前記固定式挿入器部材に連結されて前記可動式挿入器部材が前記固定式挿入器部材から分離することを防止する
ことを特徴とする請求項８に記載の挿入器。
【請求項１２】
可動式挿入器部材は、前記第２の位置にあるときにのみ前記受け入れられた注入セットから分離可能である
ことを特徴とする請求項８に記載の挿入器。
【請求項１３】
皮膚表面に据え付けられるように適合された注入セット組立体であって、
注入セットであって、
前記皮膚表面に連結可能な固定式ベース部材と、
針またはカニューレが連結され、前記固定式ベース部材に対して移動可能である可動式摺動部材であって、前記針またはカニューレが前記固定式ベース部材の外部に露出されない第１の位置から、前記針またはカニューレが前記固定式ベース部材の外部に露出される第２の位置に移動可能である、可動式摺動部材と
を含む、注入セットと、
前記注入セットに着脱可能に連結されて、前記可動式摺動部材を前記第１の位置から前記第２の位置に移動させるための挿入器と
を備えること特徴とする注入セット組立体。
【請求項１４】
前記挿入器は、前記可動式摺動部材が前記第２の位置になるまで前記注入セットから取り外されることが防止される
ことを特徴とする請求項１３に記載の注入セット組立体。
【請求項１５】
前記挿入器は、可動式挿入器部材および固定式挿入器部材を含む
ことを特徴とする請求項１３に記載の注入セット組立体。
【請求項１６】
前記可動式挿入器部材は、前記固定式ベース部材に着脱可能に連結されることを特徴とする請求項１５に記載の注入セット組立体。
【請求項１７】
前記可動式挿入器部材は、第１の位置から第２の位置に移動可能であり、これが前記可動式摺動部材を前記第１の位置から前記第２の位置に移動させ、前記可動式挿入器部材は、前記第１の位置から前記第２の位置に偶発的に移動することが実質的に防止される
ことを特徴とする請求項１６に記載の注入セット組立体。
【請求項１８】
前記固定式挿入器部材の可撓性ビームは、前記可動式挿入器部材のリブと係合して前記可動式挿入器部材が前記第１の位置から前記第２の位置に移動することを防止する
ことを特徴とする請求項１７に記載の注入セット組立体。
【請求項１９】
前記可動式挿入器部材の可撓性部材は、移動して前記固定式挿入器部材の前記可撓性ビームを偏向させ、それによって前記可撓性ビームを前記固定式挿入器部材の前記リブから係合解除し、前記可動式挿入器部材が前記第１の位置から前記第２の位置に移動することを可能にする
ことを特徴とする請求項１８に記載の注入セット組立体。
【請求項２０】
前記針またはカニューレは、前記皮膚表面に対して約２０度の角度で配設される
ことを特徴とする請求項１９に記載の注入セット組立体。
【請求項２１】
前記針またはカニューレは、前記皮膚表面に対して、１０度および４５度を含む約１０度から４５度の間の角度で配設される
ことを特徴とする請求項１９に記載の注入セット組立体。
【請求項２２】
前記可動式挿入器部材の掛止用アームは、前記固定式挿入器部材と係合して前記可動式挿入器部材が前記固定式挿入器部材から分離することを防止する
ことを特徴とする請求項１５に記載の注入セット組立体。
【請求項２３】
前記可動式摺動部材は、前記第１の位置から前記第２の位置に第１の方向に移動し、前記可動式挿入器部材は、前記第１の位置から前記第２の位置に、前記第１の方向とは異なる第２の方向に移動することを特徴とする請求項１５に記載の注入セット組立体。
【請求項２４】
注入セットの針またはカニューレを使用する方法であって、
針またはカニューレを有する注入セットを表面に置くステップと、
前記注入セットに連結された挿入器を第１の方向に移動させて前記注入セットの摺動部材を第１の位置から第２の位置に移動させるステップであって、前記針またはカニューレは前記第１の方向とは異なる第２の方向に移動される、ステップと
を含むことを特徴とする方法。
【請求項２５】
前記挿入器の移動後に、前記挿入器を前記注入セットから取り外すステップ
をさらに含むことを特徴とする請求項２４に記載の方法。
【請求項２６】
前記挿入器の移動前に、前記挿入器が前記注入セットから取り外されることを防止するステップ
をさらに含むことを特徴とする請求項２５に記載の方法。
【請求項２７】
前記挿入器上の可撓性ビームを手動で偏向させて前記挿入器の移動を可能にするステップ
をさらに含むことを特徴とする請求項２４に記載の方法。